(57)【特許請求の範囲】
【請求項１】
商用電源が室内機に供給されて当該室内機から室外機に通電され、前記室内機と前記室外機との間の誤配線を検出する誤配線検知処理を実施可能に構成される空気調和機であって、
前記室内機は、
運転開始指令および運転停止指令を含む各種指令を受信する受信部と、
前記室外機への通電を制御する通電制御部と、
前記室外機との間の配線接続状態を記憶する室内機メモリ部と、
前記室外機との通信を制御し、前記室外機との通信が正常であるか否かを判定することにより前記誤配線検知処理を実施し、前記室内機メモリ部に前記配線接続状態を記憶させると共に、前記室外機への通電開始時において、前回の前記室外機への通電開始時における前記配線接続状態に基づいて、前記誤配線検知処理の要否を判定する誤配線検知処理要否判定を実施する室内機通信制御部と、
を備え、
前記室外機は、
前記室内機からの電力を受電する受電部と、
前記配線接続状態を記憶する室外機メモリ部と、
前記室内機との通信を制御し、前記室内機からの電力の受電開始時から所定時間以内に前記室内機との通信が確立するか否かを判定することにより前記誤配線検知処理を実施して、前記室外機メモリ部に前記配線接続状態を記憶させると共に、前記室内機からの電力の受電開始時において、前回の前記室内機からの電力の受電開始時における前記配線接続状態に基づき前記誤配線検知処理の要否を判定する誤配線検知処理要否判定を実施する室外機通信制御部と、
を備えたことを特徴とする空気調和機。
【請求項２】
前記室内機通信制御部は、
前記室外機への通電開始時において、前記誤配線検知処理要否判定を実施し、前記配線接続状態が正常配線である場合には、前記誤配線検知処理を実施することなく、前記運転開始指令に基づく通常制御を実施し、前記配線接続状態が前記室内機メモリ部に記憶されていない場合、または前回の通電開始時に誤配線であることが記憶されている場合には、前記誤配線検知処理を実施して、前記配線接続状態が前記正常配線である場合に、前記運転開始指令に基づく通常制御を実施する
ことを特徴とする請求項１に記載の空気調和機。
【請求項３】
前記室内機通信制御部は、前記誤配線検知処理において、前記室外機との通信が正常に行われない場合に、前記誤配線が発生したものと判定することを特徴とする請求項１または２に記載の空気調和機。
【請求項４】
前記室内機は、
前記誤配線が発生したことを示す誤配線情報に基づいて、前記室外機への通電および前記室内機の動作を停止させる室内機異常停止処理を含む室内機側異常時処理を行う室内機異常処理部をさらに備え、
前記室内機通信制御部は、
前記誤配線検知処理において前記誤配線を検知した場合に、前記誤配線情報を前記室内機異常処理部に出力する
ことを特徴とする請求項１から３のいずれか一項に記載の空気調和機。
【請求項５】
前記室外機通信制御部は、
前記室内機からの電力の受電開始時において、前記誤配線検知処理要否判定を実施し、前記配線接続状態が正常配線である場合には、前記誤配線検知処理を実施することなく、前記運転開始指令に基づく通常制御を実施し、前記配線接続状態が前記室外機メモリ部に記憶されていない場合、または前回の受電開始時に誤配線であることが記憶されている場合には、前記誤配線検知処理を実施して、前記配線接続状態が前記正常配線である場合に、前記運転開始指令に基づく通常制御を実施する
ことを特徴とする請求項１から４のいずれか一項に記載の空気調和機。
【請求項６】
前記室外機通信制御部は、前記誤配線検知処理において、前記室内機からの電力の受電開始時から所定時間以内に前記室内機との通信が確立しない場合に、前記誤配線が発生したものと判定することを特徴とする請求項５に記載の空気調和機。
【請求項７】
前記室外機は、
前記誤配線が発生したことを示す誤配線情報に基づいて、前記室外機の動作を停止させる室外機異常停止処理を含む室外機側異常時処理を行う室外機異常処理部をさらに備え、
前記室外機通信制御部は、
前記誤配線検知処理において前記誤配線を検知した場合に、前記誤配線情報を前記室外機異常処理部に出力する
ことを特徴とする請求項５または６に記載の空気調和機。
【発明の詳細な説明】
【技術分野】
【０００１】
本発明は、空気調和機に関する。
【背景技術】
【０００２】
従来、室内機と室外機との間の誤配線を検知する誤配線検知処理を実施する技術として、通常運転モードと診断運転モードを切り換えるモード設定切換スイッチを設け、診断運転モード時に診断した結果をメモリしておき、少なくとも初回の通常運転モードでの運転を開始する際に、診断運転が実施されていない場合、および、診断運転モードにおいて異常が検出された場合には、運転を開始しないとした技術が開示されている（例えば、特許文献１）。
【０００３】
また、空気調和機の据付後もしくは移設後に、電源投入した後の最初の運転である場合に、誤配線検知処理を実施して、誤配線を検知した際には、作業者に誤配線であることを通知して、電源をリセットするまで運転を行わないとした技術が開示されている（例えば、特許文献２）。
【先行技術文献】
【特許文献】
【０００４】
【特許文献１】特開２００５−４９００１号公報
【特許文献２】特開２０００−１８６８６号公報
【発明の概要】
【発明が解決しようとする課題】
【０００５】
しかしながら、特許文献１に記載された技術では、配線や各構成部の異常を検出するためには、通常運転モードから診断運転モードに切り換える必要がある。また、特許文献２に記載された技術では、ノイズ等の外乱により誤配線が発生したものとして誤判定した場合でも、電源をリセットするまで運転を開始することができない、という問題があった。
【０００６】
本発明は、上記に鑑みてなされたものであって、特別な操作をすることなく、室内機と室外機との間の誤配線の検知、および誤配線の誤判定からの復旧を実現することができる空気調和機を提供することを目的とする。
【課題を解決するための手段】
【０００７】
上述した課題を解決し、目的を達成するため、本発明にかかる空気調和機は、商用電源が室内機に供給されて当該室内機から室外機に通電され、前記室内機と前記室外機との間の誤配線を検出する誤配線検知処理を実施可能に構成される空気調和機であって、前記室内機は、運転開始指令および運転停止指令を含む各種指令を受信する受信部と、前記室外機への通電を制御する通電制御部と、前記室外機との間の配線接続状態を記憶する室内機メモリ部と、前記室外機との通信を制御し、前記室外機との通信が正常であるか否かを判定することにより前記誤配線検知処理を実施し、前記室内機メモリ部に前記配線接続状態を記憶させると共に、前記室外機への通電開始時において、前回の前記室外機への通電開始時における前記配線接続状態に基づいて、前記誤配線検知処理の要否を判定する誤配線検知処理要否判定を実施する室内機通信制御部と、を備え、前記室外機は、前記室内機からの電力を受電する受電部と、前記配線接続状態を記憶する室外機メモリ部と、前記室内機との通信を制御し、前記室内機からの電力の受電開始時から所定時間以内に前記室内機との通信が確立するか否かを判定することにより前記誤配線検知処理を実施して、前記室外機メモリ部に前記配線接続状態を記憶させると共に、前記室内機からの電力の受電開始時において、前回の前記室内機からの電力の受電開始時における前記配線接続状態に基づき前記誤配線検知処理の要否を判定する誤配線検知処理要否判定を実施する室外機通信制御部と、を備えたことを特徴とする。
【発明の効果】
【０００８】
本発明によれば、特別な操作をすることなく、室内機と室外機との間の誤配線の検知、および誤配線の誤判定からの復旧を実現することができる、という効果を奏する。
【図面の簡単な説明】
【０００９】
【図１】図１は、実施の形態にかかる空気調和機の一構成例を示す図である。
【図２】図２は、実施の形態にかかる空気調和機における室内機と室外機との間の配線接続例を示す図である。
【図３】図３は、商用電源投入後の誤配線検知処理において配線が正常であった場合の処理制御の一例を示す図である。
【図４】図４は、商用電源投入後の誤配線検知処理において誤配線を検知した場合の処理制御の一例を示す図である。
【図５】図５は、実施の形態にかかる空気調和機における室内機側通電開始時処理フローの一例を示す図である。
【図６】図６は、実施の形態にかかる空気調和機における室外機側受電開始時処理フローの一例を示す図である。
【発明を実施するための形態】
【００１０】
以下に添付図面を参照し、本発明の実施の形態にかかる空気調和機について説明する。なお、以下に示す実施の形態により本発明が限定されるものではない。
【００１１】
実施の形態．
図１は、実施の形態にかかる空気調和機の一構成例を示す図である。また、図２は、実施の形態にかかる空気調和機における室内機と室外機との間の配線接続例を示す図である。
【００１２】
図１に示すように、実施の形態にかかる空気調和機は、室内機１と、室外機２、リモコン３とを備え構成されている。
【００１３】
また、図２に示すように、実施の形態にかかる空気調和機は、電源線４、電源信号共通線５、および信号線６を含む各配線により室内機と室外機との間が接続されている。これら電源線４、電源信号共通線５、および信号線６のうち、電源信号共通線５は、２極の電源線のうちの１本と、送受信用の２本の信号線のうちの１本とを１本の共通線で接続している。これらの各配線が正しく接続されている場合に、室内機１から室外機２への通電および室内機１と室外機２との間の通信を行うことが出来る。本実施の形態では、室内機１と室外機２との間で正常な通信が行われるか否かを判定することにより、各配線の誤配線を検出する。なお、各配線の構成はこれに限らず、２極の電源線と２本の信号線で構成されていてもよい。
【００１４】
室内機１は、リモコン３からの各種指令を受信する受信部１１と、室外機２への通電を制御する通電制御部１２と、室外機２との通信を制御する室内機通信制御部１３と、上述した各配線の誤配線の検出時における室内機１側の異常時処理を行う室内機異常処理部１４と、各配線の接続状態を記憶する室内機メモリ部１５とを備えている。
【００１５】
室外機２は、室内機１からの電力を受電する受電部２１と、室内機１との通信を制御する室外機通信制御部２２と、上述した各配線の誤配線の検出時における室外機側の異常時処理を行う室外機異常処理部２３と、各配線の接続状態を記憶する室外機メモリ部２４とを備えている。
【００１６】
受信部１１は、リモコン３からの運転開始指令を受信して、受信した運転開始指令が正常であるか否かの解析を行い、受信した運転開始指令が正常である場合には、その運転開始指令を通電制御部１２および室内機通信制御部１３に出力する。また、受信部１１は、リモコン３からの運転停止指令を受信して、受信した運転停止指令が正常であるか否かの解析を行い、受信した運転停止指令が正常である場合には、その運転停止指令を通電制御部１２および室内機通信制御部１３に出力する。
【００１７】
通電制御部１２は、運転開始指令に基づいて室外機２への通電を開始すると共に、室外機２への通電を開始したことを室内機通信制御部１３に出力する。また、通電制御部１２は、運転停止指令および室内機異常処理部１４から出力される異常停止信号に基づいて室外機２への通電を停止する。
【００１８】
室内機通信制御部１３は、室外機２との正常な通信が行われるか否かを判定し、正常な通信が行われない場合に、誤配線が発生したことを検知する室内機側誤配線検知処理を実施して、室内機メモリ部１５に各配線の接続状態を記憶させると共に、室外機２への通電開始時において、前回の室外機２への通電開始時における各配線の接続状態に基づいて、室内機側誤配線検知処理の要否を判定する室内機側誤配線検知処理要否判定を実施する。また、室内機通信制御部１３は、誤配線が発生したことを示す室内機側誤配線情報を室内機異常処理部１４に出力する機能を有している。
【００１９】
室内機通信制御部１３は、室外機２への通電を開始したことを受けて、室内機側誤配線検知処理要否判定を実施する。このとき、室内機メモリ部１５に前回の通電開始時の各配線の接続状態が記憶されていない場合、あるいは、前回の通電開始時の室内機側誤配線検知処理において誤配線が発生したことが室内機メモリ部１５に記憶されている場合には、室外機２との通信制御を開始し、室内機側誤配線検知処理を実施する。室内機１と室外機２との間で正常な通信が行われた場合には、室内機通信制御部１３は、各配線が正しく接続されている、つまり、正常配線であることを室内機メモリ部１５に記憶すると共に、運転開始指令に基づく通常制御を開始する。また、室内機１と室外機２との間で正常な通信が行われなかった場合には、誤配線が発生したことを室内機メモリ部１５に記憶させると共に、誤配線が発生したことを示す室内機側誤配線情報を室内機異常処理部１４に出力する。なお、本実施の形態では、前回の通電開始時の室内機側誤配線検知処理において誤配線が発生しなかったことが室内機メモリ部１５に記憶されている、つまり、正常配線である場合には、室内機側誤配線検知処理を実施せず、運転開始指令に基づく通常制御を開始する。
【００２０】
室内機異常処理部１４は、室内機側誤配線情報に応じて、例えば、通電制御部１２に対して、室外機２への通電を停止させる室内機異常停止信号を出力する、あるいは、室内機１の各部動作を停止させる室内機異常停止処理を含む室内機側異常時処理を実施する。なお、この室内機異常処理部１４による室内機側異常時処理は、例えば、リモコン３に誤配線が発生したことを表示させる等の誤配線報知処理を含んでいてもよい。また、この室内機側異常時処理の具体的な処理内容により本発明が限定されるものではない。
【００２１】
受電部２１は、室内機１からの電力を受電し、室外機２の各部に電源を供給する電源回路である。
【００２２】
室外機通信制御部２２は、室内機１からの電力の受電開始時から所定時間以内に正常に室内機１との通信が確立するか否かを判定し、室内機１からの電力の受電開始時から所定時間以内に正常に室内機１との通信が確立しない場合に、誤配線が発生したことを検知する室外機側誤配線検知処理を実施して、室外機メモリ部２４に各配線の接続状態を記憶させると共に、室内機１からの電力の受電開始時において、前回の室内機１からの電力の受電開始時における各配線の接続状態に基づき室外機側誤配線検知処理の要否を判定する室外機側誤配線検知処理要否判定を実施する。また、室外機通信制御部２２は、誤配線が発生したことを示す室外機側誤配線情報を室外機異常処理部２３に出力する機能を有している。
【００２３】
室外機通信制御部２２は、受電部２１に室内機１からの電力を受電したことを受けて、室外機側誤配線検知処理要否判定を実施する。このとき、室外機メモリ部２４に前回の受電開始時の各配線の接続状態が記憶されていない場合、あるいは、前回の受電開始時の室外機側誤配線検知処理において誤配線が発生したことが室外機メモリ部２４に記憶されている場合には、室内機１との通信制御を開始し、室外機側誤配線検知処理を実施する。室内機１からの電力の受電開始時から所定時間以内に室内機１との通信が確立した場合には、室外機通信制御部２２は、各配線が正しく接続されている、つまり、正常配線であることを室外機メモリ部２４に記憶すると共に、運転開始指令に基づく通常制御を開始する。また、室内機１からの電力の受電開始時から所定時間以内に室内機１との通信が確立しない場合には、誤配線が発生したことを室外機メモリ部２４に記憶させると共に、誤配線が発生したことを示す室外機側誤配線情報を室外機異常処理部２３に出力する。なお、本実施の形態では、前回の受電開始時の室外機側誤配線検知処理において誤配線が発生しなかったことが室外機メモリ部２４に記憶されている、つまり、正常配線である場合には、室外機側誤配線検知処理を実施せず、運転開始指令に基づく通常制御を開始する。
【００２４】
室外機異常処理部２３は、室外機側誤配線情報に応じて、例えば、室外機２の各部動作を停止させる室外機異常停止処理を含む室外機側異常時処理を実施する。なお、この室外機側異常時処理の具体的な処理内容により本発明が限定されるものではない。
【００２５】
つぎに、商用電源投入後の室内機側誤配線検知処理および室外機側誤配線検知処理において配線が正常であった場合の処理制御について、図１〜図３を参照して説明する。なお、以下、室内機側誤配線検知処理および室外機側誤配線検知処理を殊更に分けて記載する必要がない場合には、各処理の「室内機側」および「室外機側」の表記を省略して記載する。図３は、商用電源投入後の誤配線検知処理において配線が正常であった場合の処理制御の一例を示す図である。
【００２６】
室内機１に商用電源が投入されて室内機１のリセットが解除され、リモコン３から運転開始指令を受信すると、室内機１から室外機２への通電を開始する。このとき、室内機メモリ部１５および室外機メモリ部２４には、各配線の接続状態が記憶されていないので、室内機１と室外機２との間で誤配線検知処理１００ａを実施する。
【００２７】
誤配線検知処理１００ａにおいて正常な通信が行われた場合には、各配線が正しく接続されている、つまり、正常配線であるものと判定して、室内機メモリ部１５および室外機メモリ部２４に記憶すると共に、引き続き運転開始指令に基づいて通常制御１１０ａを実施する。
【００２８】
その後、リモコン３から運転停止指令を受信すると、室内機１から室外機２への通電を停止する。
【００２９】
そして、再びリモコン３から運転開始指令を受信すると、室内機１から室外機２への通電を開始する。このとき、室内機メモリ部１５および室外機メモリ部２４には、各配線が正しく接続されている、つまり、正常配線であることが記憶されているので、誤配線検知処理を実施せず、運転開始指令に基づいて通常制御１１０ｂを実施する。
【００３０】
つまり、室内機１に商用電源が投入されてから初回の通電開始時および受電開始時における誤配線検知処理１００ａにおいて正常な通信が行われ、各配線が正しく接続されている、つまり、正常配線であるものと判定した場合には、２回目以降の通電開始時および受電開始時には誤配線検知処理を実施しないため、起動時間を短縮することができる。
【００３１】
つぎに、商用電源投入後の誤配線検知処理において誤配線を検知した場合の処理制御について、図１〜図４を参照して説明する。図４は、商用電源投入後の誤配線検知処理において誤配線を検知した場合の処理制御の一例を示す図である。図４に示すように、誤配線検知処理１００ａを実施するまでの処理制御が、図３に示した例と同様である。
【００３２】
誤配線検知処理１００ａにおいて正常な通信が行われなかった場合には、誤配線が発生したものと判定して、誤配線が発生したことを室内機メモリ部１５および室外機メモリ部２４に記憶すると共に、引き続き異常時処理１２０ａを実施して、室外機２への通電を停止する。
【００３３】
そして、再びリモコン３から運転開始指令を受信すると、室内機１から室外機２への通電を開始する。このとき、室内機メモリ部１５および室外機メモリ部２４には、誤配線が発生したことが記憶されているので、室内機１と室外機２との間で誤配線検知処理１００ｂを実施する。
【００３４】
誤配線検知処理１００ｂにおいて正常な通信が行われた場合には、前回起動時の誤配線検知処理１００ａにおいて正常な通信が行われず、誤配線が発生したものと判定した結果がノイズ等の外乱による誤判定であり、各配線が正しく接続されている、つまり、正常配線であるものと判定して、室内機メモリ部１５および室外機メモリ部２４に記憶すると共に、引き続き運転開始指令に基づいて通常制御１１０ｂを実施する。
【００３５】
つまり、室内機１に商用電源が投入されてから初回の通電開始時および受電開始時における誤配線検知処理１００ａにおいて正常な通信が行われず、誤配線が発生したものと判定した場合でも、次回の通電開始時および受電開始時に再度誤配線検知処理１００ｂを実施して、正常な通信が行われた場合には、各配線が正しく接続されている、つまり、正常配線であるものと判定して、通常制御１１０ｂを実施するため、ノイズ等の外乱により誤配線が発生したものとして誤判定した場合でも、室内機１の電源をリセットすることなく運転を復旧させることができる。
【００３６】
つぎに、実施の形態にかかる空気調和機の室外機２への通電開始時における室内機１側の処理について、図１および図５を参照して説明する。図５は、実施の形態にかかる空気調和機における室内機側通電開始時処理フローの一例を示す図である。
【００３７】
受信部１１は、リモコン３からの運転開始指令を受信すると（ステップＳＴ１０１）、受信した運転開始指令が正常であるか否かの解析を行い、受信した運転開始指令が正常である場合には、その運転開始指令を通電制御部１２に出力する（ステップＳＴ１０２）。
【００３８】
通電制御部１２は、運転開始指令に基づいて室外機２への通電を開始すると共に、室外機２への通電を開始したことを室内機通信制御部１３に出力する（ステップＳＴ１０３）。
【００３９】
室内機通信制御部１３は、室外機２への通電を開始したことを受けて、室内機側誤配線検知処理要否判定を実施する。室内機通信制御部１３は、前回の通電開始時における各配線の接続状態が室内機メモリ部１５に記憶されているか否かを判定し（ステップＳＴ１０４）、前回の通電開始時における各配線の接続状態が室内機メモリ部１５に記憶されている場合には（ステップＳＴ１０４；Ｙｅｓ）、前回の通電開始時に誤配線が発生したか否かをさらに判定する（ステップＳＴ１０５）。
【００４０】
前回の通電開始時における各配線の接続状態が室内機メモリ部１５に記憶され（ステップＳＴ１０４；Ｙｅｓ）、且つ、前回の通電開始時に誤配線が発生していない場合には（ステップＳＴ１０５；Ｎｏ）、室内機通信制御部１３は、室外機２との通信制御を開始して運転開始指令に基づく通常制御を開始し（ステップＳＴ１０７）、室内機側通電開始時処理フローを終了する。
【００４１】
前回の通電開始時における各配線の接続状態が室内機メモリ部１５に記憶されていない場合（ステップＳＴ１０４；Ｎｏ）、あるいは、前回の通電開始時における各配線の接続状態が室内機メモリ部１５に記憶され（ステップＳＴ１０４；Ｙｅｓ）、且つ、前回の通電開始時に誤配線が発生した場合（ステップＳＴ１０５；Ｙｅｓ）には、室内機通信制御部１３は、室外機２との通信制御を開始して室内機側誤配線検知処理を実施し、室外機２との通信が正常か否かを判定する（ステップＳＴ１０６）。
【００４２】
室外機２との通信が正常である場合には（ステップＳＴ１０６；Ｙｅｓ）、室内機通信制御部１３は、各配線が正しく接続されている、つまり、正常配線であるものと判定して室内機メモリ部１５に記憶させると共に、引き続き運転開始指令に基づく通常制御を開始して（ステップＳＴ１０７）、室内機側通電開始時処理フローを終了する。
【００４３】
室外機２との通信が異常である場合には（ステップＳＴ１０６；Ｎｏ）、室内機通信制御部１３は、誤配線が発生したものと判定して室内機メモリ部１５に記憶させると共に、誤配線が発生したことを示す室内機側誤配線情報を室内機異常処理部１４に出力する（ステップＳＴ１０８）。
【００４４】
室内機異常処理部１４は、室内機側誤配線情報に応じて、室外機２への通電および室内機１の各部動作を停止させる室内機異常停止処理を含む室内機側異常時処理を実施して（ステップＳＴ１０９）、室内機側通電開始時処理フローを終了する。
【００４５】
つぎに、実施の形態にかかる空気調和機の室内機１からの受電開始時における室外機２側の処理について、図１および図６を参照して説明する。図６は、実施の形態にかかる空気調和機における室外機側受電開始時処理フローの一例を示す図である。
【００４６】
室外機通信制御部２２は、室内機１からの電力の受電を開始したことを受けて、室外機側誤配線検知処理要否判定を実施する。室外機通信制御部２２は、前回の受電開始時における各配線の接続状態が室外機メモリ部２４に記憶されているか否かを判定し（ステップＳＴ２０１）、前回の受電開始時における各配線の接続状態が室外機メモリ部２４に記憶されている場合には（ステップＳＴ２０１；Ｙｅｓ）、前回の受電開始時に誤配線が発生したか否かをさらに判定する（ステップＳＴ２０２）。
【００４７】
前回の受電開始時における各配線の接続状態が室外機メモリ部２４に記憶され（ステップＳＴ２０１；Ｙｅｓ）、且つ、前回の受電開始時に誤配線が発生していない場合には（ステップＳＴ２０２；Ｎｏ）、室外機通信制御部２２は、室内機１との通信制御を開始して、運転開始指令に基づく通常制御を開始し（ステップＳＴ２０４）、室外機側受電開始時処理フローを終了する。
【００４８】
前回の受電開始時における各配線の接続状態が室外機メモリ部２４に記憶されていない場合（ステップＳＴ２０１；Ｎｏ）、あるいは、前回の受電開始時における各配線の接続状態が室外機メモリ部２４に記憶され（ステップＳＴ２０１；Ｙｅｓ）、且つ、前回の受電開始時に誤配線が発生した場合（ステップＳＴ２０２；Ｙｅｓ）には、室外機通信制御部２２は、室内機１との通信制御を開始して室外機側誤配線検知処理を実施し、室内機１からの電力の受電開始時から所定時間以内に室内機１との通信が確立するか否かを判定する（ステップＳＴ２０３）。
【００４９】
室内機１からの電力の受電開始時から所定時間以内に室内機１との通信が確立した場合には（ステップＳＴ２０３；Ｙｅｓ）、室外機通信制御部２２は、各配線が正しく接続されている、つまり、正常配線であるものと判定して室外機メモリ部２４に記憶させると共に、引き続き運転開始指令に基づく通常制御を開始して（ステップＳＴ２０４）、室外機側受電開始時処理フローを終了する。
【００５０】
室内機１からの電力の受電開始時から所定時間以内に室内機１との通信が確立しない場合には（ステップＳＴ２０３；Ｎｏ）、室外機通信制御部２２は、誤配線が発生したものと判定して室外機メモリ部２４に記憶させると共に、誤配線が発生したことを示す室外機側誤配線情報を室外機異常処理部２３に出力する（ステップＳＴ２０５）。
【００５１】
室外機異常処理部２３は、室外機側誤配線情報に応じて、室外機２の各部動作を停止させる室外機異常停止処理を含む室外機側異常時処理を実施して（ステップＳＴ２０６）、室外機側受電開始時処理フローを終了する。
【００５２】
以上説明したように、実施の形態の空気調和機によれば、運転開始指令を受信して室外機への通電（室内機からの電力の受電）を開始した際に、誤配線検知処理が未実施である場合には、誤配線検知処理を実施するようにしたので、診断運転モードに切り換える等の特別な操作をすることなく、室内機に商用電源が投入されてから初回の室外機への通電開始時において、確実に誤配線検知処理を実施することができる。
【００５３】
また、運転開始指令を受信して室外機への通電（室内機からの電力の受電）を開始した際に、前回の誤配線検知処理において誤配線を検知していた場合には、誤配線検知処理を実施し、このときに誤配線を検知しない場合には、前回の誤配線検知処理における誤配線判定が誤判定であるものとして、運転開始指令に基づく通常制御を開始するようにしたので、電源をリセットする等の特別な操作をすることなく、誤配線の誤判定から復旧することができる。
【００５４】
また、運転開始指令を受信して室外機への通電（室内機からの電力の受電）を開始した際に、前回の誤配線検知処理において誤配線を検知していない場合には、誤配線検知処理を実施することなく、運転開始指令に基づく通常制御を開始するようにしたので、室内機に商用電源が投入されてから誤配線検知処理において配線が正常であると判定された以降の起動時間を短縮化することができる。
【００５５】
また、誤配線検知処理を実施した際に、誤配線を検知した場合には、室外機への通電を停止させる、室内機の各部動作を停止させる、あるいは、室外機の各部動作を停止させる等の異常時処理を行うことができる。
【００５６】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００５７】
１  室内機
２  室外機
３  リモコン
４  電源線
５  電源信号共通線
６  信号線
１１  受信部
１２  通電制御部
１３  室内機通信制御部
１４  室内機異常処理部
１５  室内機メモリ部
２１  受電部
２２  室外機通信制御部
２３  室外機異常処理部
２４  室外機メモリ部
１００ａ，１００ｂ  誤配線検知処理
１１０ａ，１１０ｂ  通常制御
１２０ａ  異常時処理
【図１】
0005693430.tif 000002
【図２】
0005693430.tif 000003
【図３】
0005693430.tif 000004
【図４】
0005693430.tif 000005
【図５】
0005693430.tif 000006
【図６】
0005693430.tif 000007